(57)【要約】【課題】  外力により液晶パネルなどの外部表示装置が変形することに起因して撮像素子が位置ズレを起こすことがある。【解決手段】  外部表示装置を外側に付勢するための弾性部材に開口部を設け、撮像素子保持部材との干渉を防ぐ。【選択図】  図２
2010130080.tif 000002
【特許請求の範囲】
【請求項１】
外部表示装置（３）と外部表示装置（３）より被写体側にあり、外部表示装置（３）の表示領域の正面に投影される範囲内に配置された撮像素子（６）を有する撮像装置において、
第１の枠材（２１）と第２の枠材（２２）と弾性部材（７）とによって保持される外部表示装置（３）は、筐体（４）と外装カバー部材（１）との間に第１の枠材（２１）、第２の枠材（２２）とを設け、筐体（４）と第１の枠材（２１）とから構成される空間（１０３）に第２の枠材（２２）によって保持された外部表示装置（３）が配設され、第２の枠材（２２）と筐体（４）とから構成される空間（１０４）に開口部を有した弾性部材（７）を設け、弾性部材（７）によって第２の枠材（２２）を第１の枠材（２１）に付勢することを特徴とする撮像装置。
【請求項２】
前記外部表示装置（３）の弾性部材（７）の開口部は撮像素子（６）の投影面積よりも大きいことを特徴とする請求項１に記載の撮像装置。
【請求項３】
前記外部表示装置（３）は、第２の枠材（２２）により縦横が位置決めされ、厚さ方向は弾性部材（７）によって固定されることを特徴とする請求項１に記載の撮像装置。
【請求項４】
前記外部表示装置（３）の保持に用いる外装カバー部材（１）と第１の枠材（２１）との隙間（１０２）は外装カバー部材（１）に設けられた支持部（１１）と第１の枠材（２１）との隙間（１０１）より大きく、第２の枠材（２２）と筐体（４）との隙間（１０４）は外装カバー部材（１）と第１の枠材（２１）とからなる隙間（１０２）よりも大きく構成されることを特徴とする請求項１〜請求項３のいずれかに記載の撮像装置。
【請求項５】
前記撮像素子（６）は樹脂成型部材（５１）で保持されることを特徴とする請求項１〜請求項４のいずれかに記載の撮像装置。
【請求項６】
前記外部表示装置（３）を保護する保護窓（８）を備えることを特徴とする請求項１〜請求項５のいずれかに記載の撮像装置。
【請求項７】
前記撮像装置はデジタルカメラであることを特徴とする請求項１〜請求項６のいずれかに記載の撮像装置。
【発明の詳細な説明】
【技術分野】
【０００１】
本発明は撮像装置に用いる外部表示装置の保持手段に係り、特にデジタルカメラなどの撮像素子を備えた電子機器に適用される外部表示装置を固定する手段に関する。
【背景技術】
【０００２】
外部表示装置の表示部分を保護する保護窓や液晶パネルなどの表示装置自身あるいは、表示装置近傍の外装カバー部材に外力が働いた際に、外部表示装置は弾性変形もしくは塑性変形を伴うことがあった。これらの変形によって被写体側に備えられた撮像素子を保持する保持部材とが干渉し、撮像素子の位置ズレが生じたり、撮像素子自体を破損することがあった。また従来は撮像素子自体を精度良く配置する提案がされている。（例えば、特許文献1参照）図４は従来の外部表示装置４３と撮像素子４６との関係を示した断面図である。外装カバー部材４１、液晶パネルなどからなる外部表示装置４３を保持する枠材４２、筐体４４、撮像素子保持部材４５、撮像素子４６、保護窓４７などから構成される。筐体４４を変形させるような外力が生じた場合、筐体４４と撮像素子保持部材４５が干渉し、撮像素子４６の位置ズレや撮像素子４６が破損することがあった。また近年では外部表示装置の大型化に伴い外部表示装置の保持方法や、優れた撮像素子の配置法が提案されている。
【特許文献１】特開2005-065015公報
【発明の開示】
【発明が解決しようとする課題】
【０００３】
外装のカバー部材や外部表示装置、筐体などが外力によって変形することに起因する撮像素子の位置ズレや破損を防ぐ。
【課題を解決するための手段】
【０００４】
上記課題を解決するため、本発明の撮像装置は、第１の発明によれば、
外部表示装置（３）と外部表示装置（３）より被写体側にあり、外部表示装置（３）の表示領域の正面に投影される範囲内に配置された撮像素子（６）を有する撮像装置において、
第１の枠材（２１）と第２の枠材（２２）と弾性部材（７）とによって保持される外部表示装置（３）は、筐体（４）と外装カバー部材（１）との間に第１の枠材（２１）、第２の枠材（２２）とを設け、筐体（４）と第１の枠材（２１）とから構成される空間（１０３）に第２の枠材（２２）によって保持された外部表示装置（３）が配設され、第２の枠材（２２）と筐体（４）とから構成される空間（１０４）に開口部を有した弾性部材（７）を設け、弾性部材（７）によって第２の枠材（２２）を第１の枠材（２１）に付勢することを特徴とする。
【０００５】
第２の発明によれば、
外部表示装置（３）の弾性部材（７）の開口部は撮像素子（６）の投影面積よりも大きいことを特徴とする。
【０００６】
第３の発明によれば、
外部表示装置（３）は、第２の枠材（２２）により縦横が位置決めされ、厚さ方向は弾性部材（７）によって固定されることを特徴とする。
【０００７】
第４の発明によれば、
外部表示装置（３）の保持に用いる外装カバー部材（１）と第１の枠材（２１）との隙間（１０２）は外装カバー部材（１）に設けられた支持部（１１）と第１の枠材（２１）との隙間（１０１）より大きく、第２の枠材（２２）と筐体（４）との隙間（１０４）は外装カバー部材（１）と第１の枠材（２１）とからなる隙間（１０２）よりも大きく構成されることを特徴とする。
【０００８】
第５の発明によれば、撮像素子（６）は樹脂成型部材（５１）で保持されることを特徴とする。
【０００９】
第６の発明によれば、
撮像装置は外部表示装置（３）を保護する保護窓（８）を備えることを特徴とする。
【００１０】
第７の発明によれば、
撮像装置はデジタルカメラであることを特徴とする。
【発明の効果】
【００１１】
本発明によれば、電子機器における外部表示装置の保持について、請求項１では第１の枠材と第２の枠材と弾性部材とによって保持される外部表示装置は、筐体と外装カバー部材との間に第１の枠材、第２の枠材を設け、筐体と第１の枠材とから構成される空間に第２の枠材によって保持された表示装置が配設され、第２の枠材と筐体とから構成される空間に開口部を有した弾性部材を設け、弾性部材によって第２の枠材を第１の枠材に付勢することで高い強度で外部表示装置の保持が可能となる。請求項２では弾性部材の開口部を撮像素子よりも大きくすることで、外部表示装置の変形に伴う撮像素子の位置ズレや破損が防止できる。請求項３では外部表示装置をカバー部材の外側に付勢することによってカバー部材と外部表示装置の位置を一定に保つことが可能となる。請求項４では隙間１０１より隙間１０２が大きいため、外力を筐体で受けることが可能となる。請求項５では撮像素子を樹脂成型された部材で保持することでコストダウンが可能となる。請求項６では窓部材３を設けることで外部表示装置表面に直接外力が加わらなくなり外部表示装置、筐体の変形を低減することが可能となり、撮像素子の破損や位置ズレが防げる。
【発明を実施するための最良の形態】
【００１２】
次に、本発明の詳細を実施例の記述に従って説明する。
【実施例１】
【００１３】
図１は外装カバー部材１、操作部材１２１〜操作部材１２３、外部表示装置３などから構成される本発明の実施形態を示す電子機器の背面斜視図である。図２は外装カバー部材１、第１の枠材２１、第２の枠材２２、表示装置３、筐体４、撮像素子保持材５、撮像素子６などから構成される本発明の実施形態を示す撮像装置の外部表示装置の保持構造を示す断面図である。液晶パネルやバックライトなどからなる表示装置３は第２の枠材２２によって保持されＸ、Ｙ方向が略固定される。第２の枠材２２と筐体４との間には開口部を設けた弾性部材７が設けられ、第２の枠材２２と表示装置３とを第１の枠材２１の方向に付勢し、光軸方向の略固定をおこなっている。弾性部材７の開口部は撮像素子６の投影面積より大きな開口を有する。ここで撮像素子６は表示装置３より被写体側にあり、表示装置３の表示領域に投影される範囲内に配置される。外装カバー部材１には外力によってカバー部材１のZ方向の変形を規制させる支持部１１が設けられており、支持部１１と筐体４との間には隙間１０１、カバー部材１と第１の枠材２１との隙間１０２、筐体４と第１の枠材２１との隙間１０３と、第２の枠材と筐体４と隙間１０４とが設けられる。外部表示装置３近傍のカバー部材１に外力が加わった場合、最初にカバー部材１は図２の−Ｚ方向に変形するが、カバー部材１に設けられた支持部１１と筐体４とは隙間１０１分だけの余裕があり、カバー部材１への比較的軽い外力には隙間１０１で吸収でき、表示装置３の損傷や変形を防ぐことができ、撮像素子６および撮像素子保持部材とは干渉しないため、撮像素子６の位置ズレや破損が防げる。そして前記のような隙間１０１では吸収できない大きな外力が外装カバー部材１に加わった場合、始めにカバー部材１の支持部１１が筐体４と当接し、次にカバー部材１が第一枠材２１に当接当接するまで隙間１０２だけの余裕があるため表示装置３の変形や破損を防止が可能となり撮像素子の保護ができる。さらに前記隙間１０１、１０２では吸収できない程の大きな外力が付加された場合、第２の枠材２２と筐体４と隙間１０４に設けられた弾性部材７の弾性変形を利用して外力を吸収し、撮像素子６の破損、位置ズレを防止する。ここで弾性部材７には撮像素子６の投影面積以上の大きさを持つ開口部が設けられているため、非常に大きな外力が外装カバー部材１に加わった場合でも高剛性の第１の枠材２１、第２の枠材２２、筐体４、弾性部材７および１０１＜１０２＜１０４の関係にある前記記載の隙間１０１、１０２、１０４によって外力を吸収し、外部表示装置や筐体の変形に伴う撮像素子６の位置ズレや破損を防ぐことができる。さらに、撮像素子６は外部表示装置３や筐体４の変形などに伴う破損や位置ずれを生じないため、撮像素子６と外部表示装置３との距離を縮めるこことができ、撮像素子６と外部表示装置３とを備えた電子機器の薄型化が可能となる。また従来は、強度の観点から撮像素子保持部材５は金属部材を用いていたが、撮像素子６の破損、位置ズレが防げるため、撮像素子保持部材５を樹脂成型部材で構成することができ軽量化や大幅なコストダウンが可能となる。
【図面の簡単な説明】
【００１４】
【図１】本発明における電子機器の背面斜視図。
【図２】本発明における保持構造を示す断面図。
【図３】本発明における電子機器の背面斜視図。
【図４】従来の保持方法を示す断面図。
【符号の説明】
【００１５】
１  外装カバー部材
１１  支持部
２１  第１の枠材
２２  第２の枠材
３  外部表示装置
４  筐体
５  撮像素子保持部材
６  撮像素子
７  弾性部材
【図１】
2010130080.tif 000003
【図２】
2010130080.tif 000004
【図３】
2010130080.tif 000005
【図４】
2010130080.tif 000006